(57)【要約】【課題】複数の電子ペンや指で同時にタッチ操作を行うことができるとともに、これらの指示物を確実に識別することができ、さらに同時に使用可能な電子ペンの数に限界がなく、良好な使い勝手が得られるようにする。【解決手段】送信部が、電子ペンと受信部との間でのペン識別信号の送受信を同期させるペン同期用パルス信号を送信電極に印加し、電子ペンが、タッチ操作時に送信電極のペン同期用パルス信号を検出するのに応じてペン識別信号を受信電極に送出し、制御部が、受信電極を介して受信部が受信したペン同期信号に基づいて、タッチ操作を行った指示物を判別するものとする。【選択図】図７
2012022543.tif 000002
【特許請求の範囲】
【請求項１】
複数の電子ペンと、
この電子ペン及び指によるタッチ操作が行われるタッチ面を備え、互いに並走する複数の送信電極および互いに並走する複数の受信電極が格子状に配置されたパネル本体と、
前記送信電極に対して駆動信号を印加する送信部と、
前記送信電極に印加する駆動信号に応じて前記受信電極から出力される応答信号を受信して電極交点ごとの検出データを出力する受信部と、
前記受信部から出力される検出データに基づいてタッチ位置を検出する制御部と、を備え、
前記送信部は、前記電子ペンと前記受信部との間でのペン識別信号の送受信を同期させるペン同期信号を前記送信電極に印加し、
前記電子ペンは、タッチ操作時に前記送信電極のペン同期信号を検出するのに応じてペン識別信号を前記受信電極に送出し、
前記制御部は、前記受信電極を介して前記受信部が受信したペン同期信号に基づいて、タッチ操作を行った指示物を判別することを特徴とするタッチパネルシステム。
【請求項２】
前記送信電極に駆動信号を印加して前記受信電極から応答信号を受信する位置検出処理と、前記送信電極にペン同期信号を印加して前記電子ペンからのペン識別信号を前記受信電極を介して受信するペン識別処理とが、前記送信電極の１本ごとに実行されることを特徴とする請求項１に記載のタッチパネルシステム。
【請求項３】
前記ペン識別処理は、前記位置検出処理の前に実行されることを特徴とする請求項２に記載のタッチパネルシステム。
【請求項４】
前記送信部は、前記受信電極の本数に対応する複数回のペン同期信号を印加し、
前記電子ペンは、１回のペン同期信号を検出する度にペン識別信号を送信し、
前記受信部は、１回のペン同期信号を検出する度に前記受信電極を切り換えて、前記受信電極の１本ごとにペン識別信号を受信することを特徴とする請求項１乃至請求項３のいずれかに記載のタッチパネルシステム。
【請求項５】
前記送信部は、ペン同期信号となるパルスを前記送信電極に印加し、
前記電子ペンは、前記送信電極から入力される信号の電圧レベルを閾値と比較してペン同期信号か否かを判別するペン同期信号検出部と、前記閾値を変更する操作部と、を備えたことを特徴とする請求項１乃至請求項４のいずれかに記載のタッチパネルシステム。
【請求項６】
前記送信部は、駆動信号と異なる電圧レベルでペン同期信号を前記送信電極に印加することを特徴とする請求項１乃至請求項５のいずれかに記載のタッチパネルシステム。
【請求項７】
前記電子ペンは、ペン同期信号を検出したことをユーザに知らせる表示部を備えたことを特徴とする請求項１乃至請求項６のいずれかに記載のタッチパネルシステム。
【請求項８】
前記制御部は、前記受信部におけるペン識別信号の受信電圧レベルに基づいて、前記電子ペンに設けられた電池の残量を判別することを特徴とする請求項１乃至請求項７のいずれかに記載のタッチパネルシステム。
【発明の詳細な説明】
【技術分野】
【０００１】
本発明は、指と電子ペンの双方によるタッチ操作を可能としたタッチパネルシステムに関するものである。
【背景技術】
【０００２】
タッチパネルシステムは、パソコンや携帯情報端末の分野で広く普及しているが、このタッチパネル装置を、大画面の表示装置と組み合わせることで、多人数を対象にしたプレゼンテーションや講義で使用することができるようにした、いわゆるインタラクティブホワイトボードとして用いることができ、このインタラクティブホワイトボードとしての用途は、特に学校などの教育分野での利用が期待される。
【０００３】
このような大型のタッチパネルシステムにおいては、ユーザーが指でタッチ操作を行う他、描画色などの属性（機能）の異なる複数の電子ペンを使い分けて使用することができるようにすると、使い勝手が良くなる。また、一方の手で電子ペンを持って描画などの所要の操作を行いながら、他方の手の指で別の操作を行ったり、あるいは１人のユーザーが電子ペンを持って所要の操作を行う一方で、電子ペンを持たない別のユーザーが指で所要の操作を行うといった使用方法が考えられ、電子ペンと指とを使い分けて使用することができるようにすると、使い勝手が良くなる。
【０００４】
このような要望に関連して、指と電子ペンのいずれでも高精度なタッチ位置の検出を可能とするため、電子ペンに発振回路を設けて、電子ペンによるタッチ操作時には、電子ペンから発振する電圧を各電極に印加して、各電極から電子ペンまでの距離に応じた電圧が出力されることを利用して、タッチ位置を検出し、指によるタッチ操作時には、一方の電極に駆動信号を印加して、他方の電極から出力される信号が、指の接触に伴う静電容量の減少により変化することを利用して、タッチ位置を検出するようにした技術が知られている（特許文献１参照）。
【０００５】
また、タッチ操作を行った指示物が指および電子ペンのいずれであるかを判別するため、電子ペンに、一方の電極に入力される駆動信号と異なる周波数の信号を送出する発振器を設けて、電子ペンによるタッチ操作時には、駆動信号に電子ペンの信号を重畳させて他方の電極から出力させるようにして、駆動信号に重畳させた電子ペンの信号の周波数を検出した場合には、電子ペンによるタッチ操作と判断し、駆動信号の周波数のみを検出した場合には、指によるタッチ操作と判断するようにした技術が知られている（特許文献２参照）。
【先行技術文献】
【特許文献】
【０００６】
【特許文献１】特開平８−１３７６０７号公報
【特許文献２】特許第３２２５７１６号公報
【発明の概要】
【発明が解決しようとする課題】
【０００７】
しかしながら、特許文献１に開示された従来技術では、電極の電圧を基準値と比較することで電子ペンと指とを識別することができるものの、電子ペン同士を識別する手段がないため、描画色などの属性（機能）の異なる複数の電子ペンを使い分けて使用することができない。さらに、電子ペンのタッチ操作を検出する手段としてメカニカルスイッチを用いているため、メカニカルスイッチのオン動作が確実になされない、あるいは遅れることで、電子ペンを指と誤認識してしまうという問題があった。
【０００８】
また、特許文献２に開示された従来技術では、電子ペンごとに異なる周波数を割り振ることで、複数の電子ペンを識別することが可能となるが、周波数検出回路やフィルター回路を電子ペンごとに割り振られた周波数の数だけ備える必要があるため、同時に使用することのできる電子ペンの数が制限されるという問題があった。その上、電子ペンによるタッチ操作を検出すると、指入力モードからペン入力モードに切り換えるように制御するため、電子ペンと指とで同時にタッチ操作を行うと、指のタッチ位置の検出ができなくなり、電子ペンと指とを同時に使用することができないという問題があった。
【０００９】
本発明は、このような従来技術の問題点を解消するべく案出されたものであり、その主な目的は、複数の電子ペンや指で同時にタッチ操作を行うことができるとともに、これらの指示物を確実に識別することができ、さらに同時に使用可能な電子ペンの数に制限がなく、良好な使い勝手が得られるように構成されたタッチパネルシステムを提供することにある。
【課題を解決するための手段】
【００１０】
本発明のタッチパネルシステムは、複数の電子ペンと、この電子ペン及び指によるタッチ操作が行われるタッチ面を備え、互いに並走する複数の送信電極および互いに並走する複数の受信電極が格子状に配置されたパネル本体と、前記送信電極に対して駆動信号を印加する送信部と、前記送信電極に印加する駆動信号に応じて前記受信電極から出力される応答信号を受信して電極交点ごとの検出データを出力する受信部と、前記受信部から出力される検出データに基づいてタッチ位置を検出する制御部と、を備え、前記送信部は、前記電子ペンと前記受信部との間でのペン識別信号の送受信を同期させるペン同期信号を前記送信電極に印加し、前記電子ペンは、タッチ操作時に前記送信電極のペン同期信号を検出するのに応じてペン識別信号を前記受信電極に送出し、前記制御部は、前記受信電極を介して前記受信部が受信したペン同期信号に基づいて、タッチ操作を行った指示物を判別する構成とする。
【発明の効果】
【００１１】
本発明によれば、いわゆる相互容量方式でタッチ位置を検出するため、複数の電子ペンや指によるタッチ操作が同時に行われる状態でも、各々のタッチ位置を正確に検出することができる。そして、ペン識別信号で電子ペン同士の識別を確実に行うことができる。また、位置検出処理で検出されたタッチ位置に対応するペン識別信号がない場合、タッチ操作を行った指示物をユーザの指と判別することで、電子ペンと指との識別を確実に行うことができる。さらに、ペン識別信号の情報量は任意に設定することができるため、同時に使用可能な電子ペンの数が制限されることがなく、必要な数の電子ペンを使用することができる。
【図面の簡単な説明】
【００１２】
【図１】本発明が適用されるタッチパネルシステムを示す全体構成図
【図２】送信部６の概略構成図
【図３】電子ペン１の概略構成図
【図４】電子ペン１によるタッチ操作時の状況を示す図
【図５】受信部７の概略構成図
【図６】受信信号処理部５２の概略構成図
【図７】電子ペン１を識別するペン識別処理の状況と、タッチ位置を検出する位置検出処理の状況を示す図
【図８】送信電極３に対する位置検出用パルス信号およびペン同期用パルス信号の印加状況と、受信電極４ごとに設けられたスイッチング素子ＳＷの動作状況と、を示す図
【図９】電子ペン１でのペン識別信号の送信状況と、受信部７のコンパレータの出力状況と、を示す図
【図１０】電子ペン１を識別するペン識別処理の状況と、制御部８のメモリでのペン識別データの格納状況を示す図
【図１１】タッチ位置を検出する位置検出処理の状況と、制御部８のメモリでの位置検出データの格納状況を示す図
【発明を実施するための形態】
【００１３】
上記課題を解決するためになされた第１の発明は、複数の電子ペンと、この電子ペン及び指によるタッチ操作が行われるタッチ面を備え、互いに並走する複数の送信電極および互いに並走する複数の受信電極が格子状に配置されたパネル本体と、前記送信電極に対して駆動信号を印加する送信部と、前記送信電極に印加する駆動信号に応じて前記受信電極から出力される応答信号を受信して電極交点ごとの検出データを出力する受信部と、前記受信部から出力される検出データに基づいてタッチ位置を検出する制御部と、を備え、前記送信部は、前記電子ペンと前記受信部との間でのペン識別信号の送受信を同期させるペン同期信号を前記送信電極に印加し、前記電子ペンは、タッチ操作時に前記送信電極のペン同期信号を検出するのに応じてペン識別信号を前記受信電極に送出し、前記制御部は、前記受信電極を介して前記受信部が受信したペン同期信号に基づいて、タッチ操作を行った指示物を判別する構成とする。
【００１４】
これによると、いわゆる相互容量方式でタッチ位置を検出するため、複数の電子ペンや指によるタッチ操作が同時に行われる状態でも、各々のタッチ位置を正確に検出することができる。そして、ペン識別信号で電子ペン同士の識別を確実に行うことができる。また、位置検出処理で検出されたタッチ位置に対応するペン識別信号がない場合、タッチ操作を行った指示物をユーザの指と判別することで、電子ペンと指との識別を確実に行うことができる。さらに、ペン識別信号の情報量は任意に設定することができるため、同時に使用可能な電子ペンの数が制限されることがなく、必要な数の電子ペンを使用することができる。
【００１５】
そして、電子ペンはペン同期信号を検出して初めてペン識別信号を送信するため、電子ペンでのペン同期信号の検出感度を適切に設定して、電子ペンがタッチ面に接触あるいは十分に接近した状態とならないと、ペン同期信号を検出しないようにすれば、タッチ操作と略同時にペン識別信号を送信するように動作させることができる。このため、ペン識別信号の送信をタッチ操作時に限定するためにタッチ操作を検出する手段としてメカニカルスイッチを用いた場合のような大きなタイムラグが発生することがなく、電子ペンからのペン識別信号を早期に取得して、電子ペンを指と誤認識することを防止することができる。また、タッチ操作を検出する手段を特別に設ける必要がないため、製造コストを削減することができる。
【００１６】
さらに、タッチ位置検出のために設けられた送信電極および受信電極を、ペン同期信号およびペン識別信号の通信媒体として用いるため、電子ペンに高出力の無線通信機能が不要となるため、電子ペンの電池の消耗を抑えて使い勝手を向上させ、またパネル本体側の構成も特に変更する必要がないため、製造コストを上昇を抑えることができる。
【００１７】
また、第２の発明は、前記第１の発明において、前記送信電極に駆動信号を印加して前記受信電極から応答信号を受信する位置検出処理と、前記送信電極にペン同期信号を印加して前記電子ペンからのペン識別信号を前記受信電極を介して受信するペン識別処理とが、前記送信電極の１本ごとに実行される構成とする。
【００１８】
これによると、ペン識別信号を受信したときにいずれの送信電極にペン同期信号を印加していたかにより、ペン識別信号の送信元である電子ペンの第１の方向（送信電極の配列方向）の概略位置を特定することができる。このため、複数の電子ペンによるタッチ操作が同時に行われる状態でも、電子ペン同士の識別が可能になる。
【００１９】
また、第３の発明は、前記第２の発明において、前記ペン識別処理は、前記位置検出処理の前に実行される構成とする。
【００２０】
これによると、電子ペンのペン識別信号を取得するタイミングを早めることができるため、電子ペンを指と誤認識する不具合をより一層防止することができる。
【００２１】
また、第４の発明は、前記第１乃至第３の発明において、前記送信部は、前記受信電極の本数に対応する複数回のペン同期信号を印加し、前記電子ペンは、１回のペン同期信号を検出する度にペン識別信号を送信し、前記受信部は、１回のペン同期信号を検出する度に前記受信電極を切り換えて、前記受信電極の１本ごとにペン識別信号を受信する構成とする。
【００２２】
これによると、ペン識別信号をいずれの受信電極で受信したかにより、受信したペン識別信号の送信元である電子ペンの第２の方向（受信電極の配列方向）の概略位置を特定することができる。このため、複数の電子ペンによるタッチ操作が同時に行われる状態でも、電子ペン同士の識別が可能になる。
【００２３】
この場合、制御部は、ペン識別信号を受信した受信電極と、ペン識別信号を受信したタイミングから特定される送信電極とに基づいて決定される、ペン識別信号の送信元の電子ペンの概略位置と、位置検出処理で取得したタッチ位置とを比較照合することで、複数検出されたタッチ位置がいずれの電子ペンによるものかを判別することができる。
【００２４】
また、第５の発明は、前記第１乃至第４の発明において、前記送信部は、ペン同期信号となるパルスを前記送信電極に印加し、前記電子ペンは、前記送信電極から入力される信号の電圧レベルを閾値と比較してペン同期信号か否かを判別するペン同期信号検出部と、前記閾値を変更する操作部と、を備えた構成とする。
【００２５】
これによると、ペン同期信号を簡単に検出することができる。また、閾値の調整により、電子ペンでのペン同期信号の検出感度を適切に設定することで、電子ペンのタッチ操作と略同時にペン識別信号を送信するように動作させることができる。
【００２６】
また、第６の発明は、前記第１乃至第５の発明において、前記送信部は、駆動信号と異なる電圧レベルでペン同期信号を前記送信電極に印加する構成とする。
【００２７】
これによると、ペン同期信号の出力電圧レベルを高くして送信電極に印加することで、電子ペンでペン同期信号を確実に受信することができる。一方、駆動信号の出力電圧レベルを低く抑えることができるため、不要輻射ノイズを抑えることができる。
【００２８】
また、第７の発明は、前記第１乃至第６の発明において、前記電子ペンは、ペン同期信号を検出したことをユーザに知らせる表示部を備えた構成とする。
【００２９】
これによると、電子ペンが正常に動作していることがわかる。特に電子ペンでのペン同期信号の受信状況をユーザが直接確認することができる。
【００３０】
また、第８の発明は、前記第１乃至第７の発明において、前記制御部は、前記受信部におけるペン識別信号の受信電圧レベルに基づいて、前記電子ペンに設けられた電池の残量を判別する構成とする。
【００３１】
これによると、電子ペンに電池の残量を判別する手段を特別に設けることなく、電池の残量を判別することができるため、ユーザの利便性を高めるとともに製造コストを削減することができる。
【００３２】
以下、本発明の実施の形態を、図面を参照しながら説明する。
【００３３】
図１は、本発明が適用されるタッチパネルシステムを示す全体構成図である。このタッチパネルシステムは、複数の電子ペン１と、この電子ペン１や指Ｆによるタッチ操作が行われるタッチ面２を備え、互いに並走する複数の送信電極３と互いに並走する複数の受信電極４とが格子状に配置されたパネル本体５と、送信電極３に対して駆動信号（位置検出用パルス信号）を印加する送信部６と、送信電極３に印加された駆動信号に応答した受信電極４の応答信号（充放電電流信号）を受信して、送信電極３と受信電極４とが交差する電極交点ごとの検出データ（レベル信号）を出力する受信部７と、この受信部７から出力される検出データに基づいてタッチ位置を検出すると共に送信部６及び受信部７の動作を制御する制御部８とを備えている。
【００３４】
このタッチパネルシステムは、大画面の表示装置と組み合わせることで、プレゼンテーションや講義に用いることができるようにした、いわゆるインタラクティブホワイトボードとして用いられ、特にここでは、プロジェクタ装置１０と組み合わせて用いられ、パネル本体５のタッチ面２が、プロジェクタ装置１０の投影画面を表示するスクリーンとなる。
【００３５】
制御部８から出力されるタッチ位置情報は、パソコンなどの外部機器９に入力され、ここで生成した表示画面データがプロジェクタ装置９に出力される。これによりパネル本体５のタッチ面２上でユーザが指示物（ユーザの指先及びスタイラスや指示棒等の導電体）で行ったタッチ操作に対応した画像がタッチ面２上に表示され、タッチ面２にマーカーで直接描画をするのと同様の感覚で所要の画像を表示させることができ、また表示画面に表示されたボタンなどを操作することができる。さらに、タッチ操作で描かれた画像を消去するイレーサを用いることもできる。
【００３６】
送信電極３及び受信電極４は同一の配置ピッチ（例えば１０ｍｍ）で配置されており、その本数はパネル本体５のアスペクト比に応じて異なり、送信電極３が例えば１２０本、受信電極４が例えば１８６本配置される。
【００３７】
送信電極３と受信電極４とは、絶縁層を挟んで重なり合う態様で交差しており、この送信電極３と受信電極４とが交差する電極交点にはコンデンサが形成され、ユーザが指等の指示物でタッチ操作を行い、指示物がタッチ面２に接近あるいは接触すると、これに応じて電極交点の静電容量が実質的に減少することで、タッチ操作の有無を検出することができる。
【００３８】
ここでは、相互容量方式が採用されており、送信電極３に駆動信号を印加すると、これに応答して受信電極４に充放電電流が流れ、この充放電電流が応答信号として受信電極４から出力され、このとき、ユーザのタッチ操作に応じて電極交点の静電容量が変化すると、受信電極４の充放電電流、すなわち応答信号が変化し、この変化量に基づいてタッチ位置が算出される。この相互容量方式では、受信部７で応答信号を信号処理して得られる検出データが、送信電極３と受信電極４とによる電極交点ごとに出力されるため、同時に複数のタッチ位置を検出する、いわゆるマルチタッチ（多点検出）が可能である。
【００３９】
制御部８のタッチ位置算出部１１は、受信部７から出力される電極交点ごとの検出データから所定の演算処理によってタッチ位置（タッチ領域の中心座標）を求める。このタッチ位置の演算では、Ｘ方向（受信電極４の配列方向）とＹ方向（送信電極３の配列方向）とでそれぞれ隣接する複数（例えば４×４）の電極交点ごとの検出データから所要の補間法（例えば重心法）を用いてタッチ位置を求める。これにより、送信電極３及び受信電極４の配置ピッチ（１０ｍｍ）より高い分解能（例えば１ｍｍ以下）でタッチ位置を検出することができる。
【００４０】
また、制御部８のタッチ位置算出部１１では、タッチ面２の全面に渡って電極交点ごとの検出データの受信が終了する１フレーム周期ごとにタッチ位置を求める処理が行われ、タッチ位置情報がフレーム単位で外部機器９に出力される。外部機器９では、時間的に連続する複数のフレームのタッチ位置情報に基づいて、各タッチ位置を時系列に連結する表示画面データを生成して、プロジェクタ装置１０に出力する。なお、マルチタッチの場合には、複数の指示物によるタッチ位置を含むタッチ位置情報がフレーム単位で出力される。
【００４１】
図２は、送信部６の概略構成図である。送信部６は、クロック発振器２１と、周波数設定部２２と、位置検出用パルス生成部２３と、ペン同期用パルス生成部２４と、電極選択部２５と、駆動部２６と、駆動電圧切換部２７と、を備えている。
【００４２】
クロック発振器２１は、基準クロックを生成する。周波数設定部２２は、クロック発振器２１からの基準クロックに基づいて、位置検出のために送信電極３に印加する位置検出用パルス信号（駆動信号）の周波数を設定する。位置検出用パルス生成部２３は、周波数設定部２２の設定値に基づく所定周波数で位置検出用パルス信号（駆動信号）となるパルス列を生成する。ペン同期用パルス生成部２４は、電子ペン１と受信部７との間でのペン識別信号の送受信を同期させるペン同期用パルス信号（ペン同期信号）となるパルス列を生成する。電極選択部２５は、位置検出用パルス生成部２３およびペン同期用パルス生成部２４から出力されたパルス列を出力する送信電極３を選択する。駆動部２６は、位置検出用パルス信号およびペン同期用パルス信号を所定の電圧で出力する。
【００４３】
位置検出用パルス生成部２３およびペン同期用パルス生成部２４は、制御部８から出力される水平同期信号に基づく所定のタイミングでパルス列を出力する。また、電極選択部２５も、水平同期信号に基づく所定のタイミングで送信電極３を選択する。
【００４４】
電極選択部２５は、送信電極３ごとにスイッチング素子が設けられており、このスイッチング素子を順にオンとすることで送信電極３が１本ずつ選択され、位置検出用パルス生成部２３およびペン同期用パルス生成部２４で生成したパルスが駆動部２６で所定の電圧レベルの位置検出用パルス信号およびペン同期用パルス信号に変換されて送信電極３に順次印加される。
【００４５】
位置検出用パルス信号およびペン同期用パルス信号は時分割で送信電極３に印加される。すなわち、タッチ位置を検出する位置検出処理期間では、位置検出用パルス生成部２３で生成したパルスが駆動部２６で所定の電圧レベルの位置検出用パルス信号に変換されて送信電極３に印加され、電子ペン１を識別するペン識別処理期間では、ペン同期用パルス生成部２４で生成したパルスが駆動部２６で所定の電圧レベルのペン同期用パルス信号に変換されて送信電極３に印加される。
【００４６】
駆動電圧切換部２７は、ペン同期用パルス生成部２４から出力される切換信号に基づいて、駆動部２６でのパルス信号の出力電圧を切り換える。ここでは、位置検出用パルス信号とペン同期用パルス信号とが異なる電圧レベルで送信電極３に印加される。例えば位置検出用パルス信号を５Ｖ、ペン同期用パルス信号を１５Ｖでそれぞれ出力する。このように、ペン同期用パルス信号の出力電圧レベルを高くして送信電極３に印加することで、電子ペン１でペン同期用パルス信号を確実に受信することができる。一方、位置検出用パルス信号の出力電圧レベルを低く抑えることで、不要輻射ノイズを抑えることができる。
【００４７】
図３は、電子ペン１の概略構成図である。図４は、電子ペン１によるタッチ操作時の状況を示す図であり、図４（Ａ）にタッチ位置検出時の状況を、図４（Ｂ）にペン同期用パルス信号の受信およびペン識別信号の送信の状況をそれぞれ示す。
【００４８】
図３に示すように、電子ペン１は、ユーザが手で握る把持部３１を備えたペン本体３２と、タッチ操作時にパネル本体５のタッチ面２に押し当てられるペン先部３３と、を備えている。ペン先部３３は導電性を有し、ペン本体３２における把持部３１も導電性を有しており、ペン先部３３と把持部３１とは電気的に接続されている。これにより、ユーザが電子ペン１を把持すると、ペン先部３３が把持部３１を介して人体と導通される。
【００４９】
図４に示すように、送信電極３及び受信電極４は、タッチ面２を備えた保護絶縁体４５により表面側を保護されている。また、送信電極３及び受信電極４は支持体４６により支持され、この支持体４６の表面側に送信電極３が設けられ、支持体４６の裏面側に受信電極４が設けられている。保護絶縁体４５は、電子ペン１等の指示物によるタッチ操作の検出感度を高めるために誘電率の高い合成樹脂（例えばメラミン樹脂）などで形成される。支持体４６は、送信電極３と受信電極４との間に介在して両者を絶縁する絶縁層として機能し、ガラス板や合成樹脂（例えばＰＥＴ等）からなるフィルムなどが用いられる。
【００５０】
ここで、図４（Ａ）に示すように、ユーザが電子ペン１でタッチ操作を行うと、電子ペン１と送信電極３との間に静電結合が生じ、送信電極３と受信電極４との間の全体的な静電容量が減少する。ここで、送信電極３に位置検出用パルス信号を印加すると、その位置検出用パルス信号に応答して受信電極４に発生する充放電電流が、タッチ操作に伴う静電容量の変化に応じて変化し、この充放電電流の変化に基づいてタッチ操作の有無を検出することができる。なお、このタッチ操作による静電容量の変化は、指の場合も同様である。
【００５１】
電子ペン１はさらに、図３に示したように、コンパレータ（ペン同期信号検出部）３４と、閾値設定部３５と、操作スイッチ（操作部）３６と、ペン識別信号送出部３７と、出力電圧調整部３８と、ＬＥＤランプ（表示部）３９と、電池４０と、を備えている。
【００５２】
コンパレータ３４は、ペン先部３３から入力される信号がペン同期用パルス信号か否かを判別する。閾値設定部３５では、コンパレータ３４でのペン同期用パルス信号の判別の基準となる閾値が設定される。操作スイッチ３６は、ユーザなどが閾値設定部３５の閾値を変更するものである。ペン識別信号送出部３７は、ＲＯＭに保持された自身のペン識別情報に基づいたペン識別信号を出力する。出力電圧調整部３８は、ペン識別信号の出力電圧レベルを調整する。ＬＥＤランプ３９は、コンパレータ３４でペン同期用パルス信号を検出したことを表示する。
【００５３】
電子ペン１のペン先部３３は、パネル本体５の送信電極３および受信電極４に対して信号の入出力を行うアンテナとして機能し、図４（Ｂ）に示すように、送信電極３のペン同期用パルス信号を保護絶縁体４５を介して受信する。また、ペン識別信号送出部３７から出力されるペン識別信号がペン先部３３から送出され、このペン識別信号を保護絶縁体４５および支持体４６を介して受信電極４が受信する。このように、送信電極３および受信電極４に対する信号の入出力が、保護絶縁体４５や支持体４６を介して行われることから、電子ペン１のペン先部３３がタッチ面２に接触または十分に接近した状態となって初めて送信電極３および受信電極４に対する信号の入出力が可能となる。
【００５４】
図３に示したコンパレータ３４では、ペン先部３３から入力される信号の受信電圧レベルを、閾値設定部３５から入力される閾値と比較して、ペン同期用パルス信号か否かを判別し、受信電圧レベルが閾値を超えると、ペン同期用パルス信号が検出されたことを示す信号をペン識別信号送出部３７に出力する。閾値設定部３５に保持された閾値は、操作スイッチ３６で変更することができ、電子ペン１でペン同期用パルス信号が適切に受信されるように操作スイッチ３６を操作して閾値を調整する。これにより、ペン同期用パルス信号か否かを判別する基準となる閾値を適切な値に設定することができるため、ペン同期用パルス信号を確実に検出することが可能になる。
【００５５】
また、電子ペン１は、ペン同期用パルス信号を検出して初めてペン識別信号を送信するため、電子ペン１でのペン同期用パルス信号の検出感度を適切に設定して、電子ペン１がタッチ面２に接触あるいは十分に接近した状態とならないと、ペン同期用パルス信号を検出しないようにすれば、タッチ操作と略同時にペン識別信号を送信するように動作させることができる。このため、ペン識別信号の送信をタッチ操作時に限定するためにタッチ操作を検出する手段としてメカニカルスイッチを用いた場合のような大きなタイムラグが発生することがなく、制御部８が電子ペン１からのペン識別信号を早期に取得して、電子ペン１を指と誤認識することを避けることができる。またここでは、コンパレータ３４がタッチ操作を検出する手段として機能し、タッチ操作を検出する手段を特別に設ける必要がないため、製造コストを削減することができる。
【００５６】
操作スイッチ３６による閾値調整は、タッチ面２上の所定位置で電子ペン１をタッチ操作しながら行われる。電子ペン１でのペン同期用パルス信号の受信レベルは、電子ペン１のタッチ位置に応じて異なる。これは、送信部６から印加されて電子ペン１で受信されるまでに信号が通過する送信電極３の長さに応じてインピーダンスが異なることによる。特にインタラクティブホワイトボードとして用いられる場合、装置の大型化に伴って、電子ペン１のタッチ位置に応じた受信レベルのばらつきが顕著になる。
【００５７】
そこで、タッチ面２上の複数の位置、例えば送信部６に最も近い位置（例えばタッチ面２の左下）と送信部６から最も離れた位置（例えばタッチ面２の右上）との２点で電子ペン１をタッチ操作して閾値調整を行うことにより閾値を最適化する。これにより、電子ペン１でのペン同期用パルス信号の受信レベルにばらつきがあっても、電子ペン１の位置に関係なくペン同期用パルス信号を確実に検出することが可能になる。
【００５８】
ペン識別信号送出部３７は、ペン同期用パルス信号が検出されたことを示す信号をコンパレータ３４から受信すると、ペン識別信号を出力する。ペン識別信号は、出力電圧調整部３８にて出力電圧レベルが調整された上でペン先部３３から受信電極４に入力される。
【００５９】
ペン識別信号は、使用する電子ペン１の数に応じた所要のビット数のパルス列で構成される。例えばペン識別信号のパルス列を３ビットとすれば、８本の電子ペン１の識別が可能になり、８本の電子ペン１を同時に使用することができ、これよりペン識別信号のパルス列のビット数を増やせば、より多くの電子ペン１の識別が可能になる。  
【００６０】
受信部７で受信されるペン識別信号の受信レベルは、電子ペン１でのペン同期用パルス信号の受信レベルと同様に、電子ペン１のタッチ位置に応じて異なる。これは、電子ペン１から送出されて受信部７で受信されるまでに信号が通過する受信電極４の長さに応じてインピーダンスが異なることによる。特にインタラクティブホワイトボードとして用いられる場合、装置の大型化に伴って、電子ペン１のタッチ位置に応じた受信レベルのばらつきが顕著になる。そこで、電子ペン１でのペン同期用パルス信号の受信レベルの場合と同様に、タッチ面２上の複数位置で電子ペン１をタッチ操作して、出力電圧調整部３８の出力電圧レベルを調整する。この出力電圧調整は、工場出荷前の検査工程などで実施される。
【００６１】
ＬＥＤランプ３９は、コンパレータ３４でペン同期用パルス信号を検出したことを点灯によりユーザに知らせる。これにより、電子ペン１が正常に動作していることをユーザが確認することができる。また、電子ペン１でのペン同期用パルス信号の受信状況をユーザが直接確認することができるため、ＬＥＤランプ３９でペン同期用パルス信号の受信状況を見ながら操作スイッチ３６で閾値を調整することにより、要領よく閾値を適切な値に設定することができる。また、タッチ面２に対する電子ペン１の当て方に誤りがあると、ペン同期用パルス信号を検出することができないため、ＬＥＤランプ３９で電子ペン１の使い方に誤りがあることをユーザに知らせて、正しい使い方を行うようにユーザに促すことができる。
【００６２】
また、この電子ペン１には、ユーザが電子ペン１の属性（手書きモード時の描画色など）を設定するための操作スイッチ４１が設けられている。この操作スイッチ４１により設定された属性情報は制御部８に送られて、ユーザが指定した属性で表示動作が実行される。なお、本実施形態では、電子ペン１を識別するペン識別情報に基づいたペン識別信号をペン同期用パルス信号に応じて送信するようにしたが、ここで電子ペン１から送信される信号のビット数を増やして、操作スイッチ４１により設定された属性情報をペン識別情報とともに送るようにしてもよい。
【００６３】
図５は、受信部７の概略構成図である。受信電極４は、所定本数ごとにグループ分けされ、ここでは１８６本の受信電極４が２４本ごとにグループＡ〜Ｈの８つのグループにグループ分けされている。なお、７つのグループＡ〜Ｇは受信電極４を２４本とし、最後のグループＨは受信電極４を１８本としている。
【００６４】
受信部７は、電極選択部５１と、受信信号処理部５２と、を備えている。電極選択部５１では、受信電極４ごとにスイッチング素子が接続されており、送信電極３の１本にパルス信号を印加する間に、受信電極４を１本ずつ選択して、受信電極４からの応答信号を受信信号処理部５２に順次入力させる。これにより、全ての電極交点ごとの応答信号を取り出すことができる。電極選択部５１の各スイッチング素子は制御部８からの制御信号に応じて個別に切り換え制御される。
【００６５】
電極選択部５１および受信信号処理部５２は、受信電極４のグループごとに設けられている。各電極選択部５１では、スイッチング素子の互いに対応するもの同士が並行してオン／オフ制御される。各グループではスイッチング素子が１つずつ順にオンとなるように制御され、残りのスイッチング素子はオフに制御されており、スイッチング素子をオンとすることで選択された１本の受信電極４の応答信号が受信信号処理部５２に入力される。
【００６６】
なお、受信部７には、送信部６から送信電極３に印加されるペン同期用パルス信号が、電極交点を介して受信電極４に伝えられ、受信電極４から出力されるペン同期用パルス信号を受信部７で検知すると、ペン識別信号の待ち受け状態となる。
【００６７】
図６は、受信信号処理部５２の概略構成図である。受信信号処理部５２は、ＩＶ変換部６１と、位置検出信号処理部６２と、ペン識別信号処理部６３と、を備えている。
【００６８】
ＩＶ変換部６１は、電極選択部５１を介して入力される受信電極４の出力信号（アナログ電流信号）を電圧信号に変換する。位置検出信号処理部６２は、送信電極３に位置検出用パルス信号を印加して受信電極４からの応答信号を受信する位置検出処理期間においてＩＶ変換部６１から出力される電圧信号を処理する。ペン識別信号処理部６３は、送信電極３にペン同期用パルス信号を印加して電子ペン１からのペン識別信号を受信電極４を介して受信するペン識別処理期間においてＩＶ変換部６１から出力される電圧信号を処理する。
【００６９】
位置検出信号処理部６２は、バンドパスフィルタ７１と、ゲイン調整部（増幅部）７２と、絶対値検出部７３と、積分部７４と、サンプルホールド部７５と、ＡＤ変換部７６と、を備えている。バンドパスフィルタ７１では、ＩＶ変換部６１の出力信号に対して、送信電極３に印加されるパルス信号の周波数以外の周波数成分を有する信号を除去する処理が行われる。ゲイン調整部７２では、バンドパスフィルタ７１の出力信号に対して、制御部８から設定された増幅率で増幅する処理が行われる。絶対値検出部（整流部）３４では、ゲイン調整部７２の出力信号に対して全波整流が行われる。積分部７４では、絶対値検出部７３の出力信号を時間軸方向に積分する処理が行われる。サンプルホールド部７５では、積分部７４の出力信号を所定のタイミングでサンプリングする処理が行われる。ＡＤ変換部７６では、サンプルホールド部７５の出力信号をＡＤ変換して検出データ（ディジタル信号）を出力する。
【００７０】
ペン識別信号処理部６３は、バンドパスフィルタ７７と、コンパレータ７８と、デコード部７９と、閾値設定部８０と、を備えている。バンドパスフィルタ７７では、位置検出信号処理部６２のバンドパスフィルタ７１と同様に、ＩＶ変換部６１の出力信号に対して、所定の周波数成分を有する信号を除去する処理が行われる。コンパレータ７８では、バンドパスフィルタ７７の出力信号がペン識別信号に対応したパルス列に変換される。デコード部７９では、コンパレータ７８から出力されるパルス列をデコードしてペン識別信号のデジタル値を出力する。
【００７１】
コンパレータ７８では、バンドパスフィルタ７７から入力される信号の電圧レベルを、閾値設定部８０から入力される閾値と比較して、入力信号の電圧レベルが閾値より高い場合に所定の正電圧を出力する。これにより、正常にペン識別信号を受信していれば、ペン識別信号に対応したパルス列がコンパレータ７８から出力される。閾値設定部８０に保持された閾値は制御部８により設定される。
【００７２】
一方、電子ペン１の電池４０の残量が十分にないと、電子ペン１から送信されるペン識別信号の電圧が低下し、受信部７に入力されるペン識別信号の電圧レベルがコンパレータ７８の閾値を下回ると、ペン識別信号に対応した正常なパルス列がコンパレータ７８から出力されない。そこで、ペン検査モード等において、送信電極３にペン同期用パルス信号を印加して電子ペン１からペン識別信号を送信させて、コンパレータ７８から正常なパルス列が出力されない場合には、制御部８において電子ペン１の電池の残量が十分にないものと判断して、警告表示を外部機器９に行わせて、電池４０の交換や充電が必要である旨をユーザに知らせる。
【００７３】
このような電池残量判定は、電子ペン１の操作スイッチ３６による閾値調整と同様に、タッチ面上の複数位置で電子ペン１をタッチ操作して行われる。受信部７で受信されるペン識別信号の受信レベルは、前記のように、ペン識別信号が通過する受信電極４の長さに応じたインピーダンスの違いにより電子ペン１のタッチ位置に応じて異なる。そこで、タッチ面上の複数の位置、例えば受信部７に最も近い位置（例えばタッチ面の左下）と受信部７から最も離れた位置（例えばタッチ面の右上）との２点で電池残量判定を行う。これにより、電子ペン１の位置に応じて受信部７でのペン識別信号の受信レベルにばらつきがあっても、電池残量判定を正確に行うことが可能になる。
【００７４】
図７（Ａ）は、電子ペン１を識別するペン識別処理の状況を示す図である。図７（Ｂ）は、タッチ位置を検出する位置検出処理の状況を示す図である。ここでは、タッチ操作を行う指示物として、指Ｆおよび２つの電子ペンＰ１、Ｐ２が用いられている。また、送信電極３をＹ１〜Ｙ８の符号を付して示しており、受信電極４をＸ１〜Ｘ８の符号を付して示している。
【００７５】
図７（Ａ）に示すように、ペン識別処理では、送信電極Ｙ１〜Ｙ８にペン同期用パルス信号が順次印加され、このペン同期用パルス信号に同期して、第１および第２の各電子ペンＰ１、Ｐ２からペン識別信号が送出される。一方、ペン同期用パルス信号は送信電極Ｙ１〜Ｙ８から受信電極Ｘ１〜Ｘ８に伝えられ、受信電極Ｘ１〜Ｘ８から出力されるペン同期用パルス信号に応じて、受信部８の電極選択部５１のスイッチング素子がオンとなることで、第１および第２の各電子ペンＰ１、Ｐ２のペン識別信号が受信信号処理部５２に入力され、受信信号処理部５２のコンパレータ７８からペン識別信号に対応するパル列が出力され、これに基づいて制御部８の指示物判別部１２でタッチ操作を行う電子ペンＰ１、Ｐ２を判別する。また、指によるタッチ操作では、ペン識別信号を受信しないため、これに基づいて指Ｆによるタッチ操作と判別することができる。
【００７６】
図７（Ｂ）に示すように、位置検出処理では、送信電極Ｙ１〜Ｙ８に位置検出用パルスが順次印加され、これに応じて受信電極Ｘ１〜Ｘ８から応答信号が出力される。指Ｆや電子ペンＰ１、Ｐ２によるタッチ操作が行われると、タッチ位置の近傍の電極交点の静電容量が変化し、これに応じて受信電極Ｘ１〜Ｘ８から出力される応答信号のレベルが低下し、これに基づいて制御部８のタッチ位置算出部１１でタッチ位置が検出される。このとき、電極交点ごとに検出データが得られるため、複数の電子ペンＰ１、Ｐ２および指Ｆによるタッチ操作が同時に行われている場合でも、各指示物によるタッチ位置を検出することができる。
【００７７】
図８は、送信電極３に対する位置検出用パルス信号および同期用パルス信号の印加状況と、受信電極４ごとに設けられたスイッチング素子ＳＷの動作状況と、を示す図である。図９は、電子ペン１でのペン識別信号の送信状況と、受信部７のコンパレータの出力状況と、を示す図である。
【００７８】
なお、図８では、１２０本の送信電極３を端からＹ１、Ｙ２…Ｙ１２０として示しており、グループＡに属する受信電極４のスイッチング素子をＳＷ１Ａ、ＳＷ２Ａ…ＳＷ２４Ａとして示している。またここでは、グループＡに属する受信電極４のスイッチング素子の動作を示すが、グループＢ〜Ｈもこれと同様であり、各グループＡ〜Ｈの互いに対応するスイッチング素子が同じタイミングで並行してオンオフ動作する。
【００７９】
図８に示すように、まず、１フレームの開始タイミングを規定する垂直同期信号（VSYNC）が制御部８から送信部６に出力され、その後、送信電極３の各々にペン同期用パルス信号および位置検出用パルス信号を印加するタイミングを規定する水平同期信号（HSYNC）が制御部８から送信部６に出力され、その水平同期信号（HSYNC）に応じて、送信部６は１本の送信電極３を選択してペン同期用パルス信号を出力する。このとき、１つのグループに属する受信電極４の本数に対応する２４回のパルスが周期Ｔｓｙｃで出力される。また、ペン同期用パルス信号の電圧レベルＶｐは位置検出用パルス信号の電圧レベルＶｓより高くなっている（Ｖｐ≧Ｖｓ）。
【００８０】
図９に示すように、電子ペン１は、１回のペン同期用パルス信号を検出する度にペン識別信号を送信する。電子ペン１のタッチ位置に近接する送信電極３が選択されている間は、電子ペン１でペン同期用パルス信号が継続して検出されるため、ペン識別信号が繰り返し出力される。
【００８１】
受信部７は、１回のペン同期用パルス信号を検出する度に受信電極４を１本ずつ選択して、受信電極４の１本ごとにペン識別信号を受信する。すなわち、ペン同期用パルス信号に応じて、電極選択部５１のスイッチング素子ＳＷを順にオンとする。具体的には、パルスの立ち上がりエッジでスイッチング素子ＳＷがオンに切り替わり、次のパルスの立ち上がりエッジでスイッチング素子ＳＷがオフに切り替わり、パルス間隔Ｔｓｙｃに対応する期間で各スイッチング素子ＳＷがオンとなる。
【００８２】
これにより、電子ペン１のタッチ位置に近接する受信電極４が選択されたタイミングで、ペン識別信号が電極選択部５１から受信信号処理部５２に入力され、受信信号処理部５２のコンパレータ７８からペン識別信号に対応するパルス列が出力される。なお、電子ペン１のタッチ位置に近接する送信電極３が選択されていない状態では、電子ペン１がペン同期用パルス信号を検出することができず、電子ペン１からペン識別信号が送信されることはないが、後述するように、送信電極３を変えて繰り返されるうちに、電子ペン１のタッチ位置に近接する送信電極３が選択されると、電子ペン１がペン同期用パルス信号を検出してペン識別信号を送信する。
【００８３】
次に、図８に示したように、送信部６は、水平同期信号（HSYNC）に基づく所定のタイミングで、同じ送信電極３に対して位置検出用パルス信号を出力する。ここでは、１本の受信電極４に対応するパルス列（Ｐ１〜Ｐ２４）が、所定の時間をおいて、１つのグループに属する受信電極４の本数に対応して２４回繰り返し出力される。１本の受信電極４に対応する各パルス列（Ｐ１〜Ｐ２４）は、所定数（例えば１０）のパルスが周波数設定部２２の設定値に基づく周期ＴＪで出力される。
【００８４】
受信部７は、水平同期信号（HSYNC）に基づく所定のタイミングで、電極選択部５１のスイッチング素子ＳＷ１Ａ〜ＳＷ２４Ａを、１本の受信電極４に対応する各パルス列（Ｐ１〜Ｐ２４）の送信間隔Ｔｓｗをおいて順次オンとして、受信電極４から出力される応答信号を受信する。
【００８５】
このようにして、１回の水平同期信号（HSYNC）に応じて、１本の送信電極３に対応する１ライン分の処理が実施され、この１ライン分の処理が、水平同期信号（HSYNC）に応じて、１２０本の送信電極３のすべてについて繰り返されて、１フレーム分の電極交点ごとの検出データと、タッチ操作を行う電子ペン１のペン識別データを取得することができる。
【００８６】
ここでは、送信電極３にペン同期用パルス信号を印加して電子ペン１からのペン識別信号を受信電極４を介して受信するペン識別処理期間Ｔｐと、送信電極３に位置検出用パルス信号を印加して受信電極４から応答信号を受信する位置検出処理期間Ｔｓとが重ならないように設定されており、特にペン識別処理期間Ｔｐが位置検出処理期間Ｔｓの前に設定されている。これにより、電子ペン１のペン識別信号を取得するタイミングを早めることができるため、電子ペン１を指と誤認識する不具合をより一層防止することができる。
【００８７】
なお、図示する例とは逆に、ペン識別処理期間Ｔｐを、位置検出処理期間Ｔｓの後に設定するようにしてもよい。
【００８８】
また、ペン識別処理では、受信電極４の１本あたり１回のパルスを送信電極３に印加すればよいため、位置検出処理に比較して印加するパルス数が少なく、また、ペン識別信号にもさほど大きなビット数を要しないことから、受信部７のスイッチング素子のオン時間も短くて済む。このため、ペン識別処理期間Ｔｐは位置検出処理期間Ｔｓより短時間となる。具体的には、ペン識別処理期間Ｔｐにおけるパルスの間隔、すなわちスイッチング素子のオン時間（Ｔｓｙｃ）は、例えば３００ｎｓｅｃとし、位置検出処理期間Ｔｓにおけるパルス列の送信間隔、すなわちスイッチング素子のオン時間（Ｔｓｗ）は、例えば３．４μｓｅｃとしており、ペン識別処理期間Ｔｐは位置検出処理期間Ｔｓの１／５〜１／１０の時間となる。これにより、１フレームに要する時間をさほど増大させずに済むため、タッチ位置検出の速度の低下を抑えることができる。
【００８９】
またここでは、ペン識別処理が、位置検出処理とともに送信電極３の１本ごとに実行される。これにより、ペン識別信号を受信したときにいずれの送信電極３にペン同期用パルス信号を印加していたかにより、ペン識別信号の送信元である電子ペン１のＹ方向（送信電極３の配列方向）の概略位置を特定することができる。
【００９０】
さらに、送信部６は、受信電極４の本数（ここでは２４本）に対応する複数回（ここでは２４回）のペン同期用パルス信号を印加し、電子ペン１は、１回のペン同期用パルス信号を検出する度にペン識別信号を送信し、受信部７は、１回のペン同期用パルス信号を検出する度に受信電極４を切り換えて、受信電極４の１本ごとにペン識別信号を受信する。これにより、ペン識別信号をいずれの受信電極４で受信したかにより、受信したペン識別信号の送信元である電子ペン１のＸ方向（受信電極４の配列方向）の概略位置を特定することができる。
【００９１】
このように制御部８は、ペン識別信号を受信した受信電極４と、ペン識別信号を受信したタイミングから特定される送信電極３とに基づいて、ペン識別信号の送信元である電子ペン１の概略位置を特定することができ、これをタッチ位置の検出結果と比較することで、検出されたタッチ位置がいずれの電子ペン１によるものかが判明する。また、タッチ位置に対応するペン識別信号がない場合、そのタッチ位置はユーザの指によるものと分かる。
【００９２】
図１０は、電子ペン１を識別するペン識別処理の状況と、制御部８のメモリでのペン識別データの格納状況を示す図である。図１１は、タッチ位置を検出する位置検出処理の状況と、制御部８のメモリでの位置検出データの格納状況を示す図である。図１０（Ａ）および図１１（Ａ）では、送信電極３をＹ１〜Ｙ８の符号を付して示しており、受信電極をＸ１〜Ｘ８の符号を付して示している。図１０（Ｂ）および図１１（Ｂ）では、送信電極Ｙ１〜Ｙ８と受信電極Ｘ１〜Ｘ８との電極交点に対応する各欄の上段に位置検出データを、下段にペン識別データをそれぞれ示す。
【００９３】
図示する例では、指Ｆが、受信電極Ｘ２と送信電極Ｙ２とが交差する電極交点（２、２）の位置にタッチし、第１の電子ペンＰ１が、受信電極Ｘ５と送信電極Ｙ３とが交差する電極交点（５、３）の位置にタッチし、第２の電子ペンＰ２が、受信電極Ｘ７と送信電極Ｙ７とが交差する電極交点（７、７）の位置にタッチしている。
【００９４】
図１０に示すように、ペン識別処理では、電子ペンＰ１、Ｐ２から送信されたペン識別信号が受信電極Ｘ１〜Ｘ８から出力され、受信部７からペン識別データが出力される。制御部８では、ペン識別信号を受信した受信電極Ｘ１〜Ｘ８と、ペン識別信号を受信したタイミングから特定される送信電極Ｙ１〜Ｙ８とにより、電子ペンＰ１、Ｐ２の直近の電極交点が決定され、この電極交点に対応するメモリの該当するアドレスにペン識別データが格納される。
【００９５】
図１１に示すように、位置検出処理では、送信電極Ｙ１〜Ｙ８に印加される位置検出用パルスに応じて受信電極Ｘ１〜Ｘ８から応答信号が出力され、受信部７から検出データが出力される。制御部８では、非タッチ状態とタッチ状態との差分データが算出されて、この差分データが、メモリにおける該当する電極交点に対応するアドレスに格納され、これに基づいてタッチ位置の算出処理が行われる。なお、タッチ操作に伴う静電容量の変化が複数の電極交点で発生すると、差分データも複数のアドレスに格納される。
【００９６】
このようにして電極交点ごとの位置検出データおよびペン識別データが、メモリにおける電極交点別のアドレスに格納され、この位置検出データとペン識別データとに基づいて、タッチ位置がいずれの電子ペンＰ１、Ｐ２によるものかを特定することができる。また、タッチ操作を行った指示物が指Ｆによる場合は、位置検出データのあるアドレスにペン識別データがないため、タッチ位置が指によるものであることが分かる。
【００９７】
このように複数の指示物、すなわち電子ペンＰ１、Ｐ２および指Ｆによるタッチ操作が同時に行われる状態でも、電極交点ごとに位置検出データとペン識別データとを１対１に対応させることで、タッチ位置がいずれの指示物によるものかを確実に判別することができる。これにより、ユーザが指定した属性で表示動作が実行され、例えば手書きモードでは、各電子ペンＰ１、Ｐ２および指Ｆに設定された属性にしたがって線が描画される。
【００９８】
なお、電子ペンＰ１、Ｐ２のタッチ位置が隣り合う２本の送信電極Ｙ１〜Ｙ８および受信電極Ｘ１〜Ｘ８の中間位置である場合、ペン識別データがある電極交点が隣り合わせで複数現れるが、例えば１ｃｍ間隔で送信電極Ｙ１〜Ｙ８および受信電極Ｘ１〜Ｘ８を配置した場合、複数の電子ペンＰ１、Ｐ２のタッチ位置が同じ電極交点となる可能性は極めて低いため、十分な精度で識別することができる。
【産業上の利用可能性】
【００９９】
本発明にかかるタッチパネルシステムは、複数の電子ペンや指で同時にタッチ操作を行うことができるとともに、これらの指示物を確実に識別することができ、さらに同時に使用可能な電子ペンの数に制限がなく、良好な使い勝手が得られるという効果を有し、指及び電子ペンの双方によるタッチ操作を可能としたタッチパネルシステムなどとして有用である。
【符号の説明】
【０１００】
１、Ｐ１、Ｐ２  電子ペン
２  タッチ面
３、Ｙ１〜Ｙ８  送信電極
４、Ｘ１〜Ｘ８  受信電極
５  パネル本体
６  送信部
７  受信部
８  制御部
２３  位置検出用パルス生成部
２４  同期用パルス生成部
２５  電極選択部
２６  駆動部
２７  駆動電圧切換部
３１  把持部
３２  ペン本体
３３  ペン先部
３４  コンパレータ（ペン同期信号検出部）
３５  閾値設定部
３６  操作スイッチ（操作部）
３７  ペン識別信号送出部
３８  出力電圧調整部
３９  ＬＥＤランプ（表示部）
４０  電池
４１  操作スイッチ
５１  電極選択部
５２  受信信号処理部
６２  位置検出信号処理部
６３  ペン識別信号処理部
７７  バンドパスフィルタ
７８  コンパレータ
７９  デコード部
８０  閾値設定部
Ｆ  指
【図１】
2012022543.tif 000003
【図２】
2012022543.tif 000004
【図３】
2012022543.tif 000005
【図４】
2012022543.tif 000006
【図５】
2012022543.tif 000007
【図６】
2012022543.tif 000008
【図７】
2012022543.tif 000009
【図８】
2012022543.tif 000010
【図９】
2012022543.tif 000011
【図１０】
2012022543.tif 000012
【図１１】
2012022543.tif 000013